(57)【特許請求の範囲】
【請求項１】
情報処理装置から発行される読み取り指示に従って画像を読み取り、読み取った画像データを前記情報処理装置に送信することが可能な画像読取装置であって、
画像データの送信先として指定可能な１又は複数の情報処理装置を記憶する記憶手段と、
前記記憶手段に記憶されている前記１又は複数の情報処理装置の中から指定された情報処理装置を特定する特定情報を、一つの特定のキーに対応付けて登録可能な登録手段と、
前記一つの特定のキーが操作された場合に、当該一つの特定のキーに情報処理装置を特定するための特定情報が対応付けて登録されていれば、当該特定情報により特定される情報処理装置に対して読み取り指示の発行依頼を送信し、
当該一つの特定のキーに情報処理装置を特定するための特定情報が対応付けて登録されていなければ、前記記憶手段に記憶されている前記１又は複数の情報処理装置の中から情報処理装置を指定するための画面を表示し、当該画面を介して指定された情報処理装置に対して読み取り指示の発行依頼を送信するよう制御する制御手段と、
を有することを特徴とする画像読取装置。
【請求項２】
前記登録手段により登録された特定情報により特定される情報処理装置と通信可能な状態であるか否かを判定する判定手段を更に有し、
前記制御手段は、前記判定手段により、前記登録された特定情報により特定される情報処理装置と通信可能な状態でないと判定された場合に、前記記憶手段に記憶されている前記１又は複数の情報処理装置の中から情報処理装置を指定するための画面を表示し、当該画面を介して指定された情報処理装置に対して読み取り指示の発行依頼を送信するよう制御することを特徴とする請求項１に記載の画像読取装置。
【請求項３】
前記登録手段は、前記画像読取装置と前記情報処理装置とを接続するインターフェースを特定するインターフェース情報を、前記一つの特定のキーと対応づけて更に登録することを特徴とする請求項１又は２に記載の画像読取装置。
【請求項４】
前記インターフェース情報は、ＵＳＢインターフェースとネットワークインターフェースのいずれであるかを示す情報を少なくとも含むことを特徴とする請求項３に記載の画像読取装置。
【請求項５】
前記登録手段は、読み取りに関する設定を特定するための読取情報を、前記一つの特定のキーと対応づけて更に登録することを特徴とする請求項１乃至４のいずれか１項に記載の画像読取装置。
【請求項６】
前記読取情報は、読み取り対象の原稿の種類、画像データを保存する際のファイルの種類、読み取り対象の原稿のサイズ、読み取る際の解像度、画像データの保存場所、画像データを保存する際のファイル名、の少なくとも１つを含むことを特徴とする請求項５に記載の画像読取装置。
【請求項７】
複数のキーを有する操作手段を更に有し、
前記登録手段は、情報処理装置を特定する特定情報と対応づけて登録する前記一つの特定のキーを、前記操作手段の前記複数のキーの中から選択可能であることを特徴とする請求項１乃至６のいずれか１項に記載の画像読取装置。
【請求項８】
情報処理装置から、当該情報処理装置を特定する特定情報を受信する受信手段を更に有し、
前記記憶手段は、前記受信手段により受信した情報に基づいて、画像データの送信先として選択可能な１又は複数の情報処理装置を記憶することを特徴とする請求項１乃至７のいずれか１項に記載の画像読取装置。
【請求項９】
前記受信手段は、画像読み取りのためのドライバが前記情報処理装置にインストールされたタイミング、または前記情報処理装置が起動されたタイミングにおいて前記情報処理装置から送信される特定情報を受信することを特徴とする請求項８に記載の画像読取装置。
【請求項１０】
前記一つの特定のキーに対応づけて登録される特定情報は、情報処理装置の名称であることを特徴とする請求項１乃至９のいずれか１項に記載の画像読取装置。
【請求項１１】
情報処理装置から発行される読み取り指示に従って画像を読み取り、読み取った画像データを前記情報処理装置に送信する画像読取装置の制御方法であって、
画像データの送信先として指定可能な１又は複数の情報処理装置を記憶する記憶工程と、
前記記憶工程において記憶された前記１又は複数の情報処理装置の中から指定された情報処理装置を特定する特定情報を、一つの特定のキーに対応付けて登録可能な登録工程と、
前記一つの特定のキーが操作された場合に、情報処理装置を特定するための特定情報が当該一つの特定のキーに対応付けて登録されていれば、当該特定情報により特定される情報処理装置に対して読み取り指示の発行依頼を送信し、情報処理装置を特定するための特定情報が当該一つの特定のキーに対応付けて登録されていなければ、前記記憶工程において記憶された前記１又は複数の情報処理装置の中から情報処理装置を指定するための画面を表示し、当該画面を介して指定された情報処理装置に対して読み取り指示の発行依頼を送信するよう制御する制御工程と、
を有することを特徴とする画像読取装置の制御方法。
【請求項１２】
請求項１１に記載の制御方法をコンピュータに実行させるためのコンピュータプログラム。
【発明の詳細な説明】
【技術分野】
【０００１】
本発明は、情報処理装置から発行される読み取り指示に従って画像を読み取り、読み取った画像データを情報処理装置に送信する技術に関する。
【背景技術】
【０００２】
近年、廉価なスキャナやＭＦＰでは、スキャン画像を送信する場合に疑似Push Scan方式（ホストＰＣとドライバを使用する方法）が使用される。疑似Push Scan方式とは、Pull ScanドライバがインストールされたホストＰＣに対して、ＭＦＰから「自機に対してPull Scanを実行せよ」と依頼を出す。そして、そのホストＰＣからのPull Scanによりスキャンを実行する方式である。ホストＰＣは、このPull Scanで受け取った画像を、そのPull Scan時に指定された画像処理方法に基づいて処理した後、所定の格納先に格納する。これらの手順によりＭＦＰからの指示で所望の画像フォーマットでホストＰＣに画像データを送信して保存することが可能となり、疑似的にＭＦＰからのPush Scanが実現される。
【０００３】
この方式は、スタンドアロンでPush Scanを行うＭＦＰと比較して以下の利点がある。
・ＭＦＰでいくつものプロトコルをサポートする必要がないためコストが抑えられる。
・ＭＦＰでの煩雑なネットワークの設定が不要となりユーザビリティが向上する。
【０００４】
また、ＭＦＰから疑似Push Scanを実行する場合、ユーザはＭＦＰの操作パネルに表示されるホストＰＣ名やホストＰＣのスキャンパラメタセット（以下、プロファイル）に対応した選択肢から所望のものを選択するという操作を行っていた。一方、ＭＦＰの操作を省略するショートカット機能を登録できる技術も提案されている（例えば、特許文献１）。
【先行技術文献】
【特許文献】
【０００５】
【特許文献１】特開平５−７５６９２号公報
【発明の概要】
【発明が解決しようとする課題】
【０００６】
上述のＭＦＰの操作パネルを使用した擬似Push Scanでの操作を省略するために、ショートカットキーにより疑似Push Scanを指示することが望まれているが、これには以下の課題がある。
【０００７】
Pull ScanドライバがインストールされたホストＰＣが、ネットワークやＵＳＢを介してＭＦＰと接続されている場合がある。この場合、ＭＦＰのユーザは送信宛先情報としてホストＰＣの選択と、その選択したホストＰＣのプロファイルを選択する必要があるため使い勝手の悪いものとなっていた。またホストＰＣの選択操作を省くと誤送信するなどの問題がある。特に、いつも同じホストＰＣを選択する利用者にとっては、このような選択操作は省きたい操作である。
【０００８】
本発明の目的は、上記従来技術の問題点を解決することにある。
【０００９】
本願発明の特徴は、読み取りの対象となる情報処理装置の情報、及び読み取りに関する設定を特定するための特定情報を特定のキーに対応付けて登録することにより、簡単な操作で読み取りを指示できる技術を提供することにある。
【課題を解決するための手段】
【００１０】
上記目的を達成するために本発明の一態様に係る画像読取装置は以下のような構成を備える。即ち、
情報処理装置から発行される読み取り指示に従って画像を読み取り、読み取った画像データを前記情報処理装置に送信することが可能な画像読取装置であって、
画像データの送信先として指定可能な１又は複数の情報処理装置を記憶する記憶手段と、
前記記憶手段に記憶されている前記１又は複数の情報処理装置の中から指定された情報処理装置を特定する特定情報を、一つの特定のキーに対応付けて登録可能な登録手段と、
前記一つの特定のキーが操作された場合に、当該一つの特定のキーに情報処理装置を特定するための特定情報が対応付けて登録されていれば、当該特定情報により特定される情報処理装置に対して読み取り指示の発行依頼を送信し、
当該一つの特定のキーに情報処理装置を特定するための特定情報が対応付けて登録されていなければ、前記記憶手段に記憶されている前記１又は複数の情報処理装置の中から情報処理装置を指定するための画面を表示し、当該画面を介して指定された情報処理装置に対して読み取り指示の発行依頼を送信するよう制御する制御手段と、を有することを特徴とする。
【発明の効果】
【００１１】
本発明によれば、誤送信を防止しつつ、画像読取装置における読み取り指示の操作性を大幅に向上することができる。
【図面の簡単な説明】
【００１２】
【図１】本実施形態に係る複合機（ＭＦＰ）の構成を示すブロック図。
【図２】ＭＦＰのコントローラの構成を説明するブロック図。
【図３】ＭＦＰのスキャナ画像処理部の構成を説明するブロック図。
【図４】本実施形態に係るＭＦＰの操作部の上面図。
【図５】実施形態に係るホストＰＣの表示部に表示される画面例を示す図。
【図６】図５で「設定」キーが押下されることにより表示される画面例を示す図。
【図７】複合機とホストＰＣとの間のやり取りを説明するシーケンス図。
【図８】複合機がホストＰＣからの情報を受信して記憶する手順を示すフローチャート。
【図９】複合機が表示部に表示するショートカットキーを登録する際の画面フローを示す図。
【図１０】不揮発メモリに登録した登録内容の模式図。
【図１１】複合機によるショートカットキーの登録処理手順を示すフローチャート。
【図１２】実施形態に係る複合機の表示部の表示例を説明する図。
【図１３】実施形態に係る複合機の表示部の表示例を説明する図。
【図１４】複合機における擬似Push Scan処理手順を説明するフローチャート。
【図１５】本実施形態に係るホストＰＣの処理手順を説明するフローチャート。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、本実施形態では、画像読取装置の一例として複合機を例にして説明するが、スキャナ装置、スキャナ機能を有する複写機やプリンタ等であっても良い。
【００１４】
図１は、本実施形態に係る画像読取システムに含まれる画像読取装置の一例である複合機（ＭＦＰ）１０１の構成を示すブロック図である。このＭＦＰは、原稿を読み取って画像データを得るスキャナ機能、ＰＣからの印刷データを受信して印刷するプリンタ機能、ファクシミリ送受信機能等を有している。
【００１５】
リーダ部１３は、原稿の画像を光学的に読み取って画像データに変換する。リーダ部１３は、原稿を読み取るための機能を持つスキャナユニット１１と、原稿を搬送するための機能を持つ原稿給紙ユニット１２とを有している。プリンタ部４５は、記録紙（シート）を搬送し、その記録紙に画像データを可視画像として印刷して装置外に排紙する。プリンタ部４５は、複数種類の記録紙カセットを持つ給紙ユニット４３と、画像データをシートに転写して定着させる機能を持つマーキングユニット４１と、印刷済のシートをソートやステイプルして排出する機能を持つ排紙ユニット４２とを具備している。コントローラ１０２は、リーダ部１３、プリンタ部４５と電気的に接続され、更にネットワーク１０５を介してホストＰＣ（情報処理装置）１０３と接続されている。このシステムでは、ホストＰＣ１０３のPull Scan機能を利用した疑似的なPush Scan機能により、画像読取装置（複合機）１０１で読み取った画像データをホストＰＣ１０３に送信する。
【００１６】
コントローラ部１０２は、スキャナＩ／Ｆ１０を介してリーダ部１３を制御して原稿の画像データを取得し、またプリンタＩ／Ｆ４０を介してプリンタ部４５を制御して画像データをシートに印刷するコピー機能を提供する。またリーダ部１３で読み取った画像データを、ネットワーク１０５を介してホストＰＣ１０３等の他の情報機器へ送信する機能を提供する。操作部１５０は、コントローラ１０２に接続され、表示部１３５や後述のハードキーを有し、この複合機１０１を操作するためのユーザＩ／Ｆを提供する。
【００１７】
図２は、コントローラ１０２の構成を説明するブロック図である。
【００１８】
スキャナ・インタフェース（Ｉ／Ｆ）１０には、アナログフロントエンド（AFE）１５を介して、ＣＣＤ１７，ＣＩＳ１８が接続され、個別の専用回路を介在することなく、読み取りデータをコントローラ１０２に取り込むことができる。スキャナＩ／Ｆ１０は、画像読み取りデバイスとして、ＣＣＤ１７及びＣＩＳ（Contact Image sensor）１８に対応可能であり、これら画像読み取りデバイスからの信号を入力処理する。ここで入力された画像データは、メモリ制御部７０によりＤＭＡ転送されてメインメモリ１００に展開される。スキャナ画像処理部２０は、スキャナＩ／Ｆ１０の処理によりメインメモリ１００に展開された画像データに対して、画像処理動作モード（カラーコピー、モノクロコピー、カラースキャン、モノクロスキャン等）に応じた画像処理を実行する。バッファ調停部７７はスキャナＩ／Ｆ１０とスキャナ画像処理部２０との間のデータの受け渡しをメインメモリ１００のリングバッファ領域を介して行う場合、データの書き込みと、読み出しを調停する。プリンタ画像処理部３０は、入力する画像データの領域編集や解像度変換を行い、得られた画像データをプリンタ部４５に出力する。プリンタＩ／Ｆ４０は、接続するプリンタ部４５に画像処理の結果得られた画像データを出力する。バッファ調停部７８は、プリンタ画像処理部３０とプリンタＩ／Ｆ４との間のデータの受け渡しをメインメモリ１００のリングバッファ領域を介して行う場合、データの書き込みと、読み出しを調停する。バッファ調停部７７，７８は基本構成は同一のブロックであるが、使用する用途により制御方法が異なる。５０はJPEGモジュール、６０はJBIGモジュールであり、所定の規格に準拠した画像データの圧縮、伸張処理を実行する処理部である。
【００１９】
メモリ制御部７０は、画像処理系の第１バス８３，第２バス８４及びコンピュータ系の第３バス８５とそれぞれ接続し、メインメモリ（SDRAM）１００へのデータの書き込み、メインメモリ１００からのデータの読み出しのためのデータ転送制御を行う。ＤＭＡコントローラ（ＤＭＡＣ）９０は、メモリ制御部７０と協働して、ＲＯＭＩＳＡ９７を介してＲＯＭ９５と接続している。そして外部デバイスや種々のインターフェース部１７０とメインメモリ１００との間のデータ授受に関しＤＭＡ制御するための所定のアドレス情報を生成、設定する。ＤＭＡコントローラ（ＤＭＡＣ）９１は、メモリ制御部７０と協働して、各画像処理部（２０，３０）とメインメモリ１００との間のデータ授受に関し、ＤＭＡ制御するための所定のアドレス情報を生成、設定する。例えば、画像読み取りデバイスの種類、ＣＣＤ１７，ＣＩＳ１８の別に応じて、スキャナＩ／Ｆ１０で読み取り処理された画像データをメインメモリ１００にＤＭＡ転送するためのアドレス情報をＤＭＡのチャンネルごとに生成する。またメインメモリ１００に展開された画像データをスキャナ画像処理部２０にＤＭＡ転送する等、画像処理部（２０，３０）とメインメモリ１００間におけるＤＭＡ制御を、メモリ制御部７０と共に司るユニットとして機能する。
【００２０】
ＲＯＭ９５には、画像読み取りデバイス（ＣＣＤ１７やＣＩＳ１８）に応じて、適した制御パラメタ、制御プログラムデータが格納されている。このためＣＣＤ１７，ＣＩＳ１８個別のデータ出力形式に応じた画像データの入力処理が可能となり、専用のインターフェース回路を設ける必要がなくなる。また、ＲＯＭ９５は不揮発にデータを格納することができるため、電源のオン／オフに拘わらず保存しておきたいデータを格納する。不揮発メモリ９２は、後述するホストＰＣとの間で実行するスキャンのプロファイル（設定情報）などを記憶するのに使用される。第１バス８３は、メインメモリ１００から読み出した画像データを画像処理系の各処理部に送出する。第２バス８４は、画像処理系の各処理部から読み出したデータをメインメモリ１００に送出する。これら第１及び第２バスは対になって、画像処理ブロックとメインメモリ１００間の画像データの授受を行う。第３バス８５はＣＰＵ１８０、通信及びユーザインタフェース制御部１７０、メカトロ系制御部１２５、画像処理部内部の制御レジスタ、及びＤＭＡＣ９０を接続している。メカトロ系制御部１２５には、モータ制御部１１０と、モータの駆動タイミングや画像処理系の処理の同調を制御するためのタイミング制御を司る割り込みタイマ制御部１２０が含まれる。表示制御部１３０は、画像処理装置の種々の設定、処理状況等を表示部１３５に表示するための表示制御を司る。１４０，１５０は周辺機器との接続を可能にするＵＳＢインターフェースである。メディアアクセス制御（MAC）部１６０は、接続する機器に対してデータをどのようなタイミングで送り出せばよいか（アクセス）等を制御する。ネットワーク１０５を介して他の機器（ＰＣ１０３）と通信する場合にもこのユニットを使用する。ＣＰＵ１８０は、この複合機１０１の全体的な動作を制御する。モデム９３は、公衆回線を介してファクシミリ信号の送受信を行う際に使用される。
【００２１】
図３は、スキャナ画像処理部２０の構成を説明するブロック図である。
【００２２】
スキャナＩ／Ｆ１０を介して入力した画像データを一旦入力バッファ３０２に蓄積する。この時点では、画像データがモノクロの場合は、１画素につき１バイト、カラーの場合は１画素につき３バイトの多値として扱われている。ここで、入力バッファ３０２は１ページ分まとめて確保しておく必要はなく、少なくとも、次の２値化処理部３０３の２値化処理の処理単位の大きさ分だけ確保できていればよい。２値化処理部３０３は、多値画像データを一定のデータ量毎に２値画像に変換してページバッファ３０４に格納する。画像回転部３０５は、画像データの回転を行う。このときＣＰＵ１８０は、コンピュータ系の第３バス８５を介して画像回転部３０５に対して画像データの回転を制御するための設定を行う。この画像データの回転設定は、例えば回転の有無、回転方向・角度等を含む。画像回転処理を行った画像データはページバッファ３０６に格納される。その後、ページバッファ３０６に格納された２値画像データは、画像エンコード部３０７でエンコード処理が行われて画像格納メモリ３０８に格納される。尚、このエンコード処理では、モノクロの場合ＪＢＩＧ６０で、カラーの場合はＪＰＥＧ５０でエンコードされる。
【００２３】
本実施形態では、Pull Scan、疑似Push Scanを行う場合は、ほとんどの画像処理をホストＰＣ１０３に任せる。よって、画像回転部３０５での画像データの回転や画像データのエンコード処理を行わず、スキャンにより得られた画像データをそのまま画像格納メモリ３０８に格納する。尚、この画像格納メモリ３０８は、メインメモリ１００に設けられていることを想定しているが、ハードウェアの構成によっては、この画像データをＨＤＤに格納しても良い。尚、前述したメモリやバッファとその他の画像処理ブロック間のデータ転送はメモリ制御部７０、画処理ＤＭＡＣ９１によってＤＭＡで転送される。
【００２４】
次に、画像データの送信機能について説明する。
【００２５】
ＣＰＵ１８０はＲＯＭ９５に格納されたプロトコルや送信仕様を実現するための制御プログラムを実行する。具体的には、画像格納メモリ３０８に蓄積された画像データに対して符号化、パケットヘッダの付加などを行い、第３バス８５、ＬＡＮＣ１６０を介してネットワークの情報機器、例えばホストＰＣ１０３へ送信する。本実施形態では、TCP/IPを利用し、TCP/IP上で疑似Push Scanを行うための通信を行う。疑似Push Scanのためのシーケンス（手順詳細）は後述する。
【００２６】
図４は、本実施形態に係るＭＦＰの操作部１５０の上面図である
操作部１５０は、表示部１３５、メニュー選択キー４０１、テンキー４０２、リセットキー４０３、ストップキー４０４、スタートキー４０５、疑似Push Scanショートカットキー（特定のキー）４０６を有している。本実施形態では、４０１〜４０５はハードキーである。
【００２７】
表示部１３５は、ＬＣＤＣ１３０の制御に従って表示を行う。メニュー選択キー４０１は、表示部１３５に表示されるメニューを選択するための上下左右にスクロールするためのキーと、選択項目を確定させるためのキーを具備している。テンキー４０２は、部数等の数値を直接入力するためのキーである。リセットキー４０３は、設定途中の状態をクリアして、設定値を初期値に戻すためのキーである。スタートキー４０５は各種ジョブを開始する指示を与えるためのキーである。ストップキー４０４は、開始されたジョブを停止させるための指示を与えるキーである。疑似Push Scanショートカットキー４０６は、擬似Push Scanを開始する指示を与えるためのキーである。このショートカットキー４０６の各キーには、疑似Push Scanの対象であるホスト名、読み取り対象の原稿の種類やサイズ、解像度、画像データの保存先、ファイル名などを規定するプロファイルが対応付けられている。従ってユーザは、この疑似Push Scanショートカットキー４０６のいずれかのキーを押下するだけで、そのキーに対応するホストからのPull Scan機能を利用した疑似的なPush Scan機能を行わせることができる。これにより、複合機１０１で原稿を読み取って画像データを取得し、その画像データをホストＰＣに送信して、ホストＰＣの予め定められた場所に格納する処理を行うことができる。
【００２８】
次にホストＰＣ１０３のPull Scanドライバについて説明する。複合機１０１とＰＣ１０３との間のシーケンスは後述し、ここではPull Scanドライバでの読み取り設定について説明する。
【００２９】
図５は、実施形態に係るホストＰＣの表示部５０１に表示される画面例を示す図である。
【００３０】
ここでは、ホストＰＣ１０３からPull Scanを行う場合に、ホストＰＣ１０３の表示部５０１に表示される画面の例でを示している。ボタン５０２〜５０５には、それぞれどのような読み取りを行うかのプロファイルが割り当てられているものとする。そして、ボタン５０２〜５０５のいずれかが押下されることにより、複合機１０１は原稿の読み取りを開始し、その原稿を読み取って得られた画像データをホストＰＣ１０３に送信する。
【００３１】
次に、ボタン５０２〜５０５のそれぞれに具体的にどのような読み取り設定を行えるか図６を用いて説明する。
【００３２】
図６は、図５の画面で「設定」キー５０６が押下されることにより表示される画面例を示す図である。
【００３３】
図６の画面上で、ボタン６０２〜６０５のいずれかが押下されることにより、対応するプロファイルの設定が選択される。例えば「スキャン１」キーのカスタム設定を行う場合は、ボタン６０２を押下する。図６は、このボタン「スキャン１」６０２が押下された状態を示している。この選択操作により６０６〜６１２で示す各フィールドには、この「スキャン１」に対して以前にユーザが入力した設定値、或いはデフォルトの設定値が表示される。ユーザはこれらの値を所望の値に変更することができる。
【００３４】
例えば、６０６では、プロファイル名を変更できる。後ほど説明するが、ここでプロファイル名を変更すると、その変更されたプロファイル名が複合機１０１の表示部１３５の画面にも反映される。
【００３５】
フィールド６０７では、読み取り時の原稿の種類を選択できる。本実施形態では、原稿の種類の選択肢として、白黒、白黒（OCR）、グレースケール、カラー、カラー（雑誌、カタログ）を選択できる。図６では「カラー」が設定されている。フィールド６０８は、その原稿の画像データを保存する際のファイルの種類を選択できる。ここではＪＰＥＧ，ＴＩＦＦ，ＰＤＦ，ＢＭＰなどのファイルの形式を指定できる。フィールド６０９は、スキャンを行う原稿のサイズを指定する。ここでは「Ａ４」サイズが指定されている。フィールド６１０は、スキャンを行う際の解像度を指定する。ここでは解像度「３００ｄｐｉ」が指定されている。フィールド６１１は、画像データを保存する場所（ホストＰＣ内のパス）を指定する。ここでは「C\DATA\User1」が設定されている。フィールド６１２は、保存ファイルの名前を指定する。ここでは「FileA」が指定されている。
【００３６】
以上のように、各フィールド６０７〜６１０の設定値に基づいて、読み取った画像データに画像処理を施して所望の画像データが得られる。尚、この場合の画像処理は、複合機１０１とホストＰＣ１０３のいずれで行ってもよい。この実施形態では、ホストＰＣ１０３で画像処理を行うものとする。
【００３７】
尚、疑似Push Scanでは、複合機１０１からPull Scanのスタート、つまりホストＰＣ１０３で図５のボタン５０２〜５０５のいずれかを押下することにより、複合機１０１からホストＰＣ１０３への画像データの送信を実現する。
【００３８】
図７は、実施形態に係る複合機１０１とホストＰＣ１０３との間のやり取りを説明するシーケンス図である。
【００３９】
７３１では、ホストＰＣ１０３にPull Scanドライバをインストールする。これにより、ホストＰＣ１０３はPull Scanを行うことが可能となる。７３２では、ホストＰＣ１０３から複合機１０１にホストＰＣ名、プロファイル名、プロファイルの設定内容を送信する。このステップは以下のいずれかのタイミングで実行される。
・ホストＰＣ１０３にドライバがインストールされたタイミング、或いはホストＰＣ１０３が起動されたタイミング。
・ホストＰＣのPull Scanドライバのプロファイル設定が変更されたタイミング。
・ホストＰＣ１０３で、MicroSoft社のWindows（登録商標）のようにマルチユーザインターフェースを有する場合のログオンユーザが切り替えられたタイミング。
【００４０】
７２１は、ホストＰＣ１０３から複合機１０１に送信される情報を表わしており、この情報には、ホストＰＣ名、プロファイル名、プロファイルの設定内容が含まれている。また、プロファイルが図５で示すように複数存在する場合は、それら複数のプロファイルの数分の情報が送信される。
【００４１】
７１１，７１２では、複合機１０１がホストＰＣ１０３から情報（７２１）を受信する。これら情報を受信すると同時に、プロファイルの設定内容を複合機１０１の表示用に再分類し、項目名を変換する。図６に示すホストＰＣ１０３のプロファイル設定画面では、文字や注釈を表示するスペースが十分存在することが一般的であり、詳細表示で設定を行えた方がユーザの利便性が向上する。しかしながら、複合機１０１の表示部１３５では表示可能文字数が少ない場合、むしろ短い文字でプロファイルの属性を説明した方がプロファイルの一覧性が上がり使い勝手が向上する。更に、いくつかの項目表示をユーザが理解できる範囲内でグルーピングすることも文字数の制限上有効である。従って、複合機１０１の表示部１３５に表示する際には、ホストＰＣ１０３での表示に比べてより簡潔した形式での表示となるように表示項目を編集する必要がある。これらの処理についての具体的な説明は後述する。
【００４２】
７１３では、７１１，７１２において、ホストＰＣ名、プロファイル名、再分類、変換された項目名を複合機１０１に記憶する。７１４では、表示部１３５にホストＰＣ名やプロファイル名やプロファイルの設定内容を表示する。ここでは、７１３で記憶された内容を、表示部１３５の選択メニューで表示できるようメニュー画面を形成する。このとき、複合機１０１は表示部１３５に、図９に示す画面を表示する。図９の画面については後ほど複合機１０１での処理を説明する図８のフローチャートと共に説明する。
【００４３】
７１５では、７１４で表示部１３５に表示したプロファイルがユーザの操作により選択されると、そのプロファイルに従って複合機１０１がPull ScanをホストＰＣ１０３に依頼する。７２２は、ホストＰＣ１０３に対する送信指示と、７１５で選択されたプロファイルを示している。７３３では、ホストＰＣ１０３は複合機１０１からのPull Scanの発行依頼を受け取ってPull Scanの準備を開始する。このときホストＰＣ１０３は、７２２で伝達された内容に基づき、図５のボタン５０２〜５０５のいずれかのプロファイルによるPull Scanを開始するかを判断する。
【００４４】
７２３は、Pull Scanの発行依頼に応答して、ホストＰＣ１０３が複合機１０１に対してPull Scanの開始を通知するスキャン開始指示を示す。７１６では、複合機１０１は、７２３で指示された内容に基づいてスキャンを開始する。そして７２４で、７１６で原稿を読み取って得られた画像データをホストＰＣ１０３に送信する（画像送信）。７３４では、ホストＰＣ１０３は、７２４で送信された画像データを受信し、指定されたプロファイルのパラメタに基づいて画像処理を行う。また本実施形態では、保存先として、ホストＰＣ１０３のハードディスクのフォルダ６１１が指定されている。従って、７３５では、７３４で画像処理された画像データを、その指定されたフォルダに格納する。
【００４５】
図８は、本実施形態に係る複合機がホストＰＣからの情報を受信して記憶する手順を示すフローチャートである。この処理はＣＰＵ１８０がＲＯＭ９５に記憶されているプログラムを実行することにより実現される。
【００４６】
まずＳ８０１で、ＣＰＵ１８０は、ＵＳＢＩ／Ｆ１４０或いはネットワークＩ／Ｆ１６０を通じて、ホストＰＣ１０３からの情報（ホストＰＣ名、プロファイル情報）受信したか否かを判断する。受信したと判断した場合はＳ８０２に進み、一方、受信していないと判断した場合はＳ８０１の処理を行う。Ｓ８０２では、ＣＰＵ１８０は、Ｓ８０１で受信した情報から、ホストＰＣ名とプロファイル情報を取得してメインメモリ１００に保存する。更に、Ｓ８０１で受信したＩ／ＦがＵＳＢＩ／Ｆ１４０或いはネットワークＩ／Ｆ１６０の何れであるかのインターフェース情報から、複合機１０１とホストＰＣ１０３との接続Ｉ／Ｆの情報をメインメモリ１００に保存してＳ８０１の処理を行う。
【００４７】
このようにＣＰＵ１８０は、常に複合機１０１とＵＳＢＩ／Ｆ１４０或いはネットワークＩ／Ｆ１６０を通じて接続しているホストＰＣ１０３の最新情報をメインメモリ１００に保存している。
【００４８】
図９は、複合機１０１のＣＰＵ１８０が表示部１３５に表示するショートカットキーの登録を行う際の画面フローを示す図である。
【００４９】
９００は、ショートカット登録キー選択画面であり、ここでは図４の３つのショートカットキー４０６に対応して、「キー１の登録」、「キー２の登録」、「キー３の登録」の３種類の登録キー（選択肢）が表示されている。
【００５０】
宛先指定画面９１０は、登録キー選択画面９００で、いずれかの選択肢が選択された場合に表示される画面例を示す。ここで「キー１の登録」９０１（例えば図４のショートカットキー４０６の最上位のキーに対応）が選択されているとする。９１１は、「宛先を指定しない」を選択する選択項目である。９１２は、宛先がＵＳＢＩ／Ｆ１４０に接続されたホストＰＣであることを指定する選択項目である。９１３には、図８のフローチャートで説明した手順でメインメモリ１００に保持されている情報の中で、ネットワークＩ／Ｆ１６０を介して接続されているホストＰＣ名が表示されている。ここでは「Host1」と「Host2」とが接続されている。
【００５１】
プロファイル選択画面９２０は、宛先指定画面９１０の選択肢のなかで、例えば「Host1」が選択された場合に表示される画面である。９２１はプロファイルの選択肢を示し、図８のフローチャートで保存された情報の中で、ホスト名が「Host1」であるホストＰＣのプロファイルが表示されている。こうして、選択されたホストＰＣによるPull Scan機能のプロファイルが不揮発メモリ９２に登録される。
【００５２】
図１０（Ａ）〜（Ｄ）は、不揮発メモリ９２に保存した登録内容の模式図である。
【００５３】
図１１は、本実施形態に係る複合機１０１によるショートカットキーの登録処理手順を示すフローチャートである。この処理はＣＰＵ１８０がＲＯＭ９５に記憶されているプログラムを実行することにより実現される。
【００５４】
この処理は、操作部１５０から擬似 Push Scanのショートカットキー登録が選択されることにより開始される。まずＳ１１０１で、ＣＰＵ１８０は、図９のショートカットキー登録キー選択画面９００を表示する。そして図９の例で説明すると、「キー１の登録」９０１が選択され、宛先指定画面９１０が表示された状態となる。この宛先選択画面９１０には、「宛先を指定しない」９１１、ＵＳＢ９１２、図８の手順でメインメモリ１００に保持されているホストＰＣ名の中でネットワークＩ／ＦのホストＰＣ名９１３が表示されている。次にＳ１１０２に進み、ＣＰＵ１８０は、操作部１５０のハードキー４０１の入力を検知して、宛先の選択肢が選択されたか判断する。ここで「宛先指定しない」９１１が選択されたと判断した場合はＳ１１０３に進み、それ以外が選択されたと判断した場合は、Ｓ１１０４に進む。Ｓ１１０３では、ＣＰＵ１８０は、ショートカットキー１に「宛先指定しない」登録して不揮発メモリ９２に保存して処理を終了する。
【００５５】
この場合は図１０（Ａ）の場合に該当し、「ショートカットキー１」１００１。図９の宛先指定画面９１０で選択された宛先情報として宛先ホストＰＣ名は「指定なし」１００２となる。従って、ホストＰＣとの接続Ｉ／Ｆの情報は「指定なし」１００３、プロファイル指定は「指定なし」１００４となって、これらが不揮発メモリ９２に保存される。
【００５６】
一方Ｓ１１０４では、ＣＰＵ１８０は、Ｓ１１０２で選択された宛先がネットワークＩ／Ｆ１６０を介して接続されているホストＰＣであるかどうかを判定し、そうであればＳ１１０５に進むが、それ以外が選択された場合はＳ１１０８に進む。Ｓ１１０５では、ＣＰＵ１８０は、プロファイル選択画面９２０のように、その選択されたホストＰＣが有している、図８でメインメモリ１００に保持されているプロファイル情報の選択肢を表示してＳ１１０６に進む。Ｓ１１０６では、ＣＰＵ１８０は、操作部１５０のハードキー４０１の入力を検知して、プロファイル情報の選択肢が選択されたか否かを判断する。選択されたと判断した場合はＳ１１０７に進み、そうでないときは処理を終了する。Ｓ１１０７では、ＣＰＵ１８０は、「ショートカットキー１」に、Ｓ１１０４で選択した宛先ホストＰＣ名と、接続Ｉ／ＦであるネットワークＩ／Ｆ、及びＳ１１０６で選択したプロファイル設定を保存して処理を終了する。
【００５７】
この場合は図１０（Ｂ）の場合に該当する。ここでは「ショートカットキー１」１０１１に、宛先指定画面９１０で選択された宛先情報であるホストＰＣ名「Host1」１０１２、接続Ｉ／Ｆの情報として「ネットワークＩ／Ｆ」１０１３が不揮発メモリ９２に登録される。更に、プロファイル選択画面９２０で選択された「プロファイル１」１０１４が不揮発メモリ９２に登録される。
【００５８】
次にＳ１１０８では、ＣＰＵ１８０は、Ｓ１１０２で選択された宛先がＵＳＢかどうかを判定し、そうであればＳ１１０９に進み、そうでないときは処理を終了する。Ｓ１１０９では、ＣＰＵ１８０は、メインメモリ１００に保持されているホストＰＣ名の中でＵＳＢＩ／Ｆで接続されているホストＰＣ名の有無を判断する。ＵＳＢＩ／Ｆを介して接続されているホストＰＣが存在する場合はＳ１１１０に進み、存在しないときはＳ１１１３に進む。
【００５９】
Ｓ１１１０では、ＣＰＵ１８０は、読み込み設定選択画面９２０として、ＵＳＢＩ／Ｆを介して接続されたホストＰＣが有するプロファイル情報の選択肢を表示してＳ１１１１に進む。Ｓ１１１１では、ＣＰＵ１８０は、操作部１５０のハードキー４０１の入力を検知して、プロファイル情報の選択肢が選択されたか判断し、選択されたと判断した場合はＳ１１１２に進むが、選択しないと判断した場合、処理を終了する。Ｓ１１１２では、ＣＰＵ１８０は、「ショートカットキー１」に、ホストＰＣ名、ＵＳＢＩ／Ｆ、読み込み設定を不揮発メモリ９２に保存して処理を終了する。
【００６０】
この場合は、図１０（Ｃ）に該当する。図１０（Ｂ）と比較すると明らかなように、接続Ｉ／Ｆの情報のみが異なっており、その他は同じである。
【００６１】
またＳ１１０９で、ＵＳＢＩ／Ｆを介して接続されているホストＰＣが存在しないときはＳ１１１３に進む。Ｓ１１１３では、ＣＰＵ１８０は、「ショートカットキー１」に、「宛先ホスト名なし」、接続Ｉ／Ｆの情報が「ＵＳＢＩ／Ｆ」、そして「プロファイルの指定なし」で登録して処理を終了する。これは図１０（Ｄ）の場合に該当する。
【００６２】
図１２は、実施形態に係る複合機１０１の表示部１３５の表示例を説明する図である。ショートカットキー押下検知後からスキャン開始するまでに表示する画面フローの１つの場合である。
【００６３】
図１３は、実施形態に係る複合機１０１の表示部１３５の表示例を説明する図である。スキャン開始後に表示する画面フローの１つの場合である。
【００６４】
図１４は、実施形態に係る複合機１０１における擬似Push Scan処理手順を説明するフローチャートである。この処理はＣＰＵ１８０がＲＯＭ９５に記憶されているプログラムを実行することにより実現される。
【００６５】
まずＳ１４０１で、ＣＰＵ１８０は、ショートカットキー４０６のいずれかが押下されたかどうかを判定する。ここで押されたと判定するとＳ１４０２に進み、そのショートカットキーに宛先が登録されているかどうかを判定する。これらは前述の図１０（Ａ）（Ｄ）のように、宛先のホスト名が指定されていない場合があるためである。ここで宛先が指定されていればＳ１４０３に進み、指定されていないときはＳ１４０８に進む。Ｓ１４０３では、接続Ｉ／ＦがＵＳＢかどうかを判定する。ＵＳＢであればＳ１４０４に進み、ＵＳＢでないときはＳ１４２１に進む。Ｓ１４０４では、ＣＰＵ１８０は、ＵＳＢＩ／Ｆを介して接続されているホストＰＣがあるかどうかを判定する。あればＳ１４０５に進み、そのホストＰＣの名前が登録されているかどうかを判定する。Ｓ１４０５で登録されていないときは、ＣＰＵ１８０は、Ｓ１４０４で確認したホストＰＣを選択してＳ１４１０に進む。登録されていればＳ１４０６に進んで、その登録しているホストＰＣと接続されているかどうかを判定し、接続されていればＳ１４１２に進み、そうでないときはＳ１４０７に進む。Ｓ１４０７では、ＣＰＵ１８０は、表示部１３５に、登録されているホストＰＣがネットワーク上、或いはＵＳＢインターフェースで見つからない旨の表示を行ってＳ１４０８に進む。
【００６６】
Ｓ１４０７では、図１２の１２２０で示すように、登録されているホストＰＣが接続されていない旨のメッセージ１２２１と、メインメモリ１００に記憶しているホストＰＣの情報１２２２とを表示部１３５に表示してＳ１４０８に進む。
【００６７】
Ｓ１４０８では、ＣＰＵ１８０は、宛先の選択肢を表示してＳ１４０９に進む。
【００６８】
図１２の例で説明すると、１２００で示すように、メインメモリ１００に保持されているホストＰＣ名の中でネットワークＩ／Ｆを介して接続されたホストＰＣ名の一覧１２０１を表示する。この例ではＵＳＢＩ／Ｆを介して接続されているホストＰＣが存在しないため、この一覧１２０１にはＵＳＢＩ／Ｆに接続されたホスト名が表示されていない。この一覧１２０１で、例えば「Host1」が選択されると、１２１０で示すようなプロファイルの選択画面が表示される。
【００６９】
Ｓ１４０９では、ＣＰＵ１８０は、操作部１５０のハードキー４０１の入力を検知して、宛先の選択肢が選択されたか否かを判断する。宛先が選択されたと判断した場合はＳ１４１０に進み、選択しないと判断した場合はＳ１４０１に進む。Ｓ１４１０では、ＣＰＵ１８０は、読み込み設定選択画面として、Ｓ１４０９で特定された宛先ホストＰＣが備えている、メインメモリ１００に保持されているプロファイル情報の選択肢を表示してＳ１４１１に進む。
【００７０】
図１２の１２１０は、例えばホストＰＣとして「Host1」が選択されたときに表示されるプロファイル選択画面を示す。Ｓ１４１１で、ＣＰＵ１８０は、操作部１５０のハードキー４０１の入力を検知して、プロファイル情報の選択肢が選択されたか否かを判断する。選択されたと判断した場合はＳ１４１２に進む。Ｓ１４１２では、ＣＰＵ１８０は、自機にPull Scanを行わせるよう、その選択されたホストＰＣに依頼を行う。その際に、ホストＰＣ上のPull Scanドライバが有する、どのプロファイルでPull Scanを行うかの情報も送信してＳ１４１３に進む。
【００７１】
Ｓ１４１３では、ＣＰＵ１８０は、ホストＰＣからのPull Scan指示を待つ。ホストＰＣからのPull Scan指示を受信するとＳ１４１４に進み、ＣＰＵ１８０は、表示部１３５に「読み取り中」を示す画面を表示してＳ１４１５に進む。
【００７２】
図１３は、Ｓ１４１４で表示される画面例を示す図である。
【００７３】
１３００のように、読み込み中（１３０１）、中止選択肢（１３０２）、登録されているホストＰＣの情報１３０３を表示部１３５に表示する。
【００７４】
Ｓ１４１５では、ＣＰＵ１８０は、原稿をスキャンして原稿画像を読み取る。そしてＳ１４１６に進み、ＣＰＵ１８０は、その読み取った画像データをホストＰＣに送信してＳ１４１７に進む。
【００７５】
Ｓ１４１７では、ＣＰＵ１８０は、ショートカットキーに未登録情報があるか否かを判定し、未登録情報があると判定するとＳ１４１８に進み、未登録情報がないと判定するとＳ１４１０に進む。Ｓ１４１８では、ＣＰＵ１８０は、表示部１３５に、直前に実行したPull Scanの内容で、Ｓ１４０１で押下したショートカットキーに登録されている内容を更新するか否かを選択する画面を表示してＳ１４１９に進む。
【００７６】
この画面は図１３の登録選択画面１３１０で示されている。
【００７７】
図１３では、現在の設定をショートカットキーに登録するかどうかを問い合わせるメッセージ１３１１を表示し、それに対する応答（「はい」／「いいえ」）１３１２を表示する。
【００７８】
Ｓ１４１９では、ＣＰＵ１８０は、操作部１５０のハードキー４０１の入力を検知して、登録するか、或いは登録しないのいずれが選択されたかを判断し、登録する（「はい」）が選択された場合はＳ１４２０に進む。Ｓ１４２０では、ＣＰＵ１８０は、Ｓ１４０１で押下されたショートカットキーの登録情報を、直前に行った擬似Push Scanを表す宛先ホストＰＣ名、接続Ｉ／Ｆの情報、プロファイル選択等で更新してＳ１４０１に進む。尚、Ｓ１４１９で「いいえ」が選択されたときは、登録されている情報の更新を行うことなくＳ１４１０に進む。
【００７９】
またＳ１４０３で接続Ｉ／Ｆの情報がＵＳＢでないときはＳ１４２１に進み、ＣＰＵ１８０は、Ｓ１４０２で取得したショートカットキーに登録されている情報のインターフェースがネットワークＩ／Ｆかどうかを判断する。ネットワークＩ／ＦでないときはＳ１４０８に進むが、ネットワークＩ／ＦであればＳ１４２２に進む。Ｓ１４２２では、ＣＰＵ１８０は、Ｓ１４０２で取得したショートカットキーに登録されている情報の宛先ホストＰＣ名と同じで、且つ接続Ｉ／ＦがネットワークＩ／ＦであるホストＰＣが１台だけかどうかを判断する。即ち、そのホストＰＣの情報が、メインメモリ１００に保持されている情報の中に１台分だけあるかどうかを判断する。１台だけの場合はＳ１４１２に進み、そうでないとき（該当するホストＰＣがない或いは複数台ある）はＳ１４０７に進む。
【００８０】
図１５は、本実施形態に係るホストＰＣ１０３の処理手順を説明するフローチャートである。
【００８１】
Ｓ１５０１は、ホストＰＣ１０３にPull Scanのドライバをインストールする処理であり、一度インストールを行えば消去されない限り、再度インストールする必要はない。従って、このＳ１５０１の処理は最初のみ必要となる処理で、通常省略可能である。次にＳ１５０２に進み、ホストＰＣ１０３は、イベントの発生を待つ。ここで対象となるイベントは以下の通りである。
・ホストＰＣ１０３が起動された、または、ログオンユーザが変更された。
・Pull Scanドライバ上のプロファイル設定変更が要求された。
・複合機１０１からPull Scanをするよう促された（通知された）。
【００８２】
Ｓ１５０２で、Pull Scanドライバのプロファイル設定変更が要求されたイベントが発生した場合はＳ１５０３に進み、ホストＰＣ１０３は、ユーザが図６の画面を使用して変更した内容を記憶する。そしてＳ１５０４に進み、ホストＰＣ１０３は、ホストＰＣ名とプロファイル名とプロファイルの設定内容を複合機１０１に送信する（図７の７２１）。これにより複合機１０１は、疑似Push Scanショートカットキーを登録する際に表示するメニュー（図９）や、疑似Push Scan時に表示するメニュー（図１２、図１３）を作成することができる。
【００８３】
またＳ１５０２で、ホストＰＣ１０３が起動された、或いは、ログオンユーザが変更された場合はＳ１５０４に進む。これは、ホストＰＣ１０３の持つプロファイルの情報を複合機１０１に通知して、疑似Push Scanショートカットキー登録時に表示するメニュー（図９）や、疑似Push Scan時に表示するメニュー（図１２、図１３）を作成させるためである。
【００８４】
またＳ１５０２で、複合機１０１からPull Scanをするよう促された（通知された）イベントの場合はＳ１５１０に進む。Ｓ１５１０では、ホストＰＣ１０３は、複合機１０１からPull Scan開始の依頼と、Pull Scanを行う場合の選択プロファイル情報を受信する（図７の７２２）。そしてホストＰＣ１０３は、受信した情報からプロファイル（図５の５０２〜５０５のいずれか）を選択する。そしてＳ１５１１に進み、ホストＰＣ１０３は、Ｓ１５１０で行った設定に基づき、複合機１０１に対してPull Scanのスキャン指示を送信する。そしてＳ１５１２で複合機１０１から画像データが送信されるのを待ち、画像データが送信されたと判定するとＳ１５１３に進み、複合機１０１から送信された画像データを受信する。そしてＳ１５１４で、ホストＰＣ１０３は、Ｓ１５１０で行った設定に基づいて画像処理を行う。そしてＳ１５１５に進み、ホストＰＣ１０３は、Ｓ１５１０で受信した選択プロファイル情報から、画像データの格納場所６１１、ファイル名６１２を取得して、その指定された格納場所に、指定されたファイル名で格納する。
【００８５】
尚、本実施形態では、ネットワーク（TCP/IP）とＵＳＢを通信手段として使用しているが、何れかの通信手段でも同様の処理が適用できることは言うまでもない。
【００８６】
また本実施形態では、複合機１０１の表示部１３５に表示する図９、図１２、図１３の画面の表示内容はあくまでも一例であり、他の表示形態でも適用できる。
【００８７】
また本実施形態では、擬似Push Scanのショートカットキーを図４のようにハードキーとしているが、図４の表示部１３５に表示されるソフトキーであっても良い。
【００８８】
また、本実施形態では、ホストＰＣ１０３からホストＰＣ名、プロファイル名、プロファイルの設定内容を受信して記憶したが、必ずしもこれら全ての情報を受信又は記憶する必要はない。少なくともホストＰＣを識別するための識別情報（例えばホストＰＣ名）と、プロファイルを特定するためのプロファイル特定情報（例えばプロファイル名）を受信又は記憶し、ショートカットキーに割り当てて登録すればよい。
【００８９】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005735763.tif 000002
【図２】
0005735763.tif 000003
【図３】
0005735763.tif 000004
【図４】
0005735763.tif 000005
【図５】
0005735763.tif 000006
【図６】
0005735763.tif 000007
【図７】
0005735763.tif 000008
【図８】
0005735763.tif 000009
【図９】
0005735763.tif 000010
【図１０】
0005735763.tif 000011
【図１１】
0005735763.tif 000012
【図１２】
0005735763.tif 000013
【図１３】
0005735763.tif 000014
【図１４】
0005735763.tif 000015
【図１５】
0005735763.tif 000016